(57)【要約】【課題】装着状態におけるずれを適切に防止すると共に、ユーザの鼻にかかる負担を分散する頭部装着型ディスプレイを提供する。【解決手段】本発明の頭部装着型ディスプレイ１は、画像を表示する画像表示素子と、画像表示素子とユーザの視軸とを結ぶ光路上に配置され、画像表示素子に表示された画像をユーザの眼に拡大して投影する拡大光学系と、画像表示素子及び拡大光学系をユーザの眼前に位置させるフレーム部と、フレーム部に設けられた頬当部５とを備える。【選択図】  図１
2009065441.tif 000002
【特許請求の範囲】
【請求項１】
画像を表示する画像表示素子と、
前記画像表示素子とユーザの視軸とを結ぶ光路上に配置され、前記画像表示素子に表示された画像を前記ユーザの眼に拡大して投影する拡大光学系と、
前記画像表示素子及び前記拡大光学系を前記ユーザの眼前に位置させるフレーム部と、
前記フレーム部に設けられた頬当部と
を備えることを特徴とする頭部装着型ディスプレイ。
【請求項２】
前記フレーム部は、
前記画像表示素子及び前記拡大光学系を内蔵するフロント部と、
一方の端部が前記フロント部の右側端部と接続された右テンプル部と、
一方の端部が前記フロント部の左側端部と接続された左テンプル部とを備え、
前記頬当部は、
前記右テンプル部と前記左テンプル部にそれぞれ備えられることを特徴とする請求項１記載の頭部装着型ディスプレイ。
【請求項３】
前記頬当部は、ユーザの頬に押し当てる方向の付勢力を有することを特徴とする請求項１または請求項２記載の頭部装着型ディスプレイ。
【請求項４】
前記頬当部は、
一方の端部が前記右テンプル部または前記左テンプル部に回動可能に接続されていることを特徴とする請求項１乃至請求項３の何れか一項に記載の頭部装着型ディスプレイ。
【発明の詳細な説明】
【技術分野】
【０００１】
本発明は、ユーザの眼に画像を拡大して投影する頭部装着型ディスプレイに関するものである。
【背景技術】
【０００２】
従来、ユーザの頭部に装着可能であり、装着状態においてディスプレイに表示された画像を鑑賞することが可能な装置として、頭部装着型ディスプレイや眼鏡型表示装置が知られている。例えば、特許文献１にはユーザの頭部に装着可能なテンプル付き眼鏡フレームに、ユーザの視野内に画像を表示する画像表示手段を固定した眼鏡型画像表示装置が開示されている。
【特許文献１】特開２００６−１３３３７６号公報
【発明の開示】
【発明が解決しようとする課題】
【０００３】
ところで、頭部装着型ディスプレイや眼鏡型表示装置においては、一般の眼鏡においてレンズが装着されている部分に、画像の投影を行なう装置が配置されているため、一般の眼鏡に比べ、前方の重量が重く、ユーザの鼻にかかる負担が大きい。また、重量が重い前方は、鼻の一点において支持されるため、ユーザが少し顔を動かした場合であっても、装置全体が前方にずれやすくなっている。
【０００４】
本発明の課題は、ユーザの頭部に装着した状態におけるずれを適切に防止することができると共に、ユーザの鼻にかかる負担を分散することができる頭部装着型ディスプレイを提供することである。
【課題を解決するための手段】
【０００５】
以下に本発明の構成を実施形態の符号を付して説明するが、本発明は、本実施形態に限定されるものではない。
【０００６】
本発明の頭部装着型ディスプレイ（１）は、画像を表示する画像表示素子（６Ｒ、６Ｌ）と、前記画像表示素子（６Ｒ、６Ｌ）とユーザの視軸（ＥＲ、ＥＬ）とを結ぶ光路上に配置され、前記画像表示素子（６Ｒ、６Ｌ）に表示された画像を前記ユーザの眼に拡大して投影する拡大光学系（７Ｒ、７Ｌ）と、前記画像表示素子（６Ｒ、６Ｌ）及び前記拡大光学系（７Ｒ、７Ｌ）を前記ユーザの眼前に位置させるフレーム部と、前記フレーム部に設けられた頬当部（５）とを備えることを特徴とする。
【発明の効果】
【０００７】
本発明の頭部装着型ディスプレイによれば、フレーム部に頬当部が設けられているため、装置の前方をユーザの鼻に加えて頬当部により支持することができる。従って、ユーザの鼻にかかる荷重を適切に分散すると共に、装置全体の前方へのずり落ちを防止して快適な装着感を実現することができる。
【発明を実施するための最良の形態】
【０００８】
以下、図面を参照して本発明の実施の形態に係る頭部装着型ディスプレイについて説明する。図１は、実施の形態に係る頭部装着型ディスプレイ１の外観を模式的に示した図である。頭部装着型ディスプレイ１は、画像表示素子および拡大光学系を内蔵するフロント部２、一方の端部がフロント部２の右側端部と接続された右テンプル部３、一方の端部がフロント部２の左側端部と接続された左テンプル部４、右テンプル部３及び左テンプル部４にそれぞれ備えられた頬当部５を備えて構成されている。ここで頬当部５は、長方形状のプレート状の形状を有しており、一方の端部がフロント部２の側方において右テンプル部３、左テンプル部４にそれぞれ回動可能に接続されている。なお、フロント部２、右テンプル部３、左テンプル部４及び頬当部５により、頭部装着型ディスプレイ１のフレーム部が構成されている。
【０００９】
右テンプル部３及び左テンプル部４に、それぞれ備えられている頬当部５は、他方の端部をユーザの頬に押し当てる方向の付勢力を有している。即ち、図２に示すように、図１に示すＡ−Ａ断面をユーザの正面から見た場合、頬当部５の他方の端部がユーザの頬に押し当てられることによって、ユーザの鼻及び左右の頬によりフレーム部の前方が支持されることになる。なお、頬当部５のユーザの頬に当接する部分は、図３（図１に示すＡ−Ａ断面をユーザの正面から見た図）に示すような形状を有していてもよい。即ち、頬当部５の先端が直接ユーザの頬に当接するのを避けると共に、ユーザの頬に当接する面積を大きくすべく、図３に示すような外方に屈曲した形状であってもよい。これによりユーザが頬に痛みを感じるのを防止することができる。
【００１０】
また、頬当部５は、一方の端部が右テンプル部３及び左テンプル部４に、回動可能に接続されているため、図４に示すように、頬当部５を使用しない場合には、右テンプル部３及び左テンプル部４に沿って頬当部５を収納することができる。即ち、頬当部５の不使用時には、頬当部５を図に示す矢印方向に回動させ、テンプル部に沿って折り畳むような状態にすることができる。
【００１１】
頭部装着型ディスプレイ１のフロント部２には、図５に示すように、画像を表示する画像表示素子６Ｒ、６Ｌと、画像表示素子６Ｒ、６Ｌに表示された画像をユーザの眼に拡大して投影する拡大光学系７Ｒ、７Ｌと、画像表示素子６Ｒ、６Ｌを駆動し、画像表示を行なう駆動部８とが設けられている。拡大光学系７Ｒは、画像表示素子６Ｒとユーザの右眼の視軸ＥＲとを結ぶ光路上に配置され、画像表示素子６Ｒに表示された画像をユーザの右眼に拡大して投影する。同様に、拡大光学系７Ｌは、画像表示素子６Ｌとユーザの左眼の視軸ＥＬとを結ぶ光路上に配置され、画像表示素子６Ｌに表示された画像をユーザの左眼に拡大して投影する。なお、画像表示素子６Ｒ、６Ｌとしては、例えば、カラー液晶表示素子等の液晶デバイスが用いられる。
【００１２】
また、フロント部２には、図示しない操作つまみ等が設けられており、該操作つまみをユーザが操作することにより、画像表示素子６Ｒ、６Ｌの位置を、例えば、ユーザの視軸ＥＲ、ＥＬに沿った方向に移動させ、最適な観察状態への調整を行うことができる。
【００１３】
本実施の形態に係る頭部装着型ディスプレイによれば、右テンプル部及び左テンプル部にそれぞれ備えられた頬当部によりフロント部を支持することができる。即ち、フロント部をユーザの鼻及び頬当部によって支持することができ、ユーザの鼻にかかる荷重を適切に分散し、快適な装着感を得ることができる。また、頬当部がユーザの頬に押し当てる方向の付勢力を有しているため、フロント部を安定して支持することができる。従って、装置全体が前方にずり落ちることを適切に防止することができる。
【００１４】
また、本実施の形態に係る頭部装着型ディスプレイによれば、頬当部を使用しない場合には、頬当部を回動させることによって、テンプル部に沿って頬当部を折り畳むことができる。従って、個々のユーザが、自らの好みに合わせて頬当部を使用すたり使用しなかったりすることができると共に、不使用時には邪魔にならないようにすることができる。
【図面の簡単な説明】
【００１５】
【図１】本発明の実施の形態に係る頭部装着型ディスプレイの外観を模式的に示す図である。
【図２】本発明の実施の形態に係る頭部装着型ディスプレイの頬当部を説明するための図である。
【図３】本発明の実施の形態に係る頭部装着型ディスプレイの頬当部を説明するための他の図である。
【図４】本発明の実施の形態に係る頭部装着型ディスプレイの頬当部の収納状態を説明する図である。
【図５】本発明の実施の形態に係る頭部装着型ディスプレイの内部構成を示す図である。
【符号の説明】
【００１６】
１・・・頭部装着型ディスプレイ、２・・・フロント部、３・・・右テンプル部、４・・・左テンプル部、５・・・頬当部、６Ｒ、６Ｌ・・・画像素子、７Ｒ、７Ｌ・・・拡大光学系、８・・・駆動部。
【図１】
2009065441.tif 000003
【図２】
2009065441.tif 000004
【図３】
2009065441.tif 000005
【図４】
2009065441.tif 000006
【図５】
2009065441.tif 000007